(57)【特許請求の範囲】
【請求項１】
開閉扉を有し内部に集塵袋が取り付けられる集塵部と、該集塵部に設けた集塵袋固定手段とからなる集塵ケースを備え、
前記集塵袋固定手段は、前記集塵ケースの開閉扉を開く操作と、前記集塵袋の固定を解除する操作とを、タイミングをずらせた一連の動作によって連続して行う１のボタン機構を備え、
前記ボタン機構が、前記開閉扉を開閉する第１のロック手段と、前記集塵袋を着脱する第２のロック手段と、これら第１、第２のロック手段を連動させる連動手段とを備え、
前記第１のロック手段により前記開閉扉の固定を解除したのち、前記第１のロック手段を前記連動手段を介して前記第２のロック手段と連動させ、前記集塵袋の固定を解除し、
前記連動手段が、前記第１、第２のロック手段を連結する連結部からなる
ことを特徴とする電気掃除機。
【請求項２】
前記第１のロック手段が押しボタンを有し、該押しボタンに前記開閉扉に係止する係止部と前記連結部に当接する当接部とを設け、前記開閉扉との係止を解除したのち、前記連結部を押圧して前記第２のロック手段と連動させ前記集塵袋の固定を解除するようにした  ことを特徴とする請求項１記載の電気掃除機。
【請求項３】
前記第１のロック手段が垂直部を有する断面ほぼ逆Ｌ字状の押しボタンを有し、その垂直部に前記開閉扉に係止する係止部と前記連結部に当接する当接部を設けた
ことを特徴とする請求項２記載の電気掃除機。
【請求項４】
前記第２のロック手段が、軸の周りに付勢されて前記集塵袋を保持する集塵袋保持体を有し、前記集塵袋保持体が前記連結部により押圧されたときに反付勢方向に回動して前記集塵袋の固定を解除する
ことを特徴とする請求項２又は３に記載の電気掃除機。
【請求項５】
前記第２のロック手段が、前記集塵袋保持体に軸支されてこれと同方向に付勢され該集塵袋保持体によってその回動が停止されるストッパー体をさらに有し、前記集塵袋が装着されていないときは前記ストッパー体のストッパー部が立設しており、前記集塵袋が装着されたときは該集塵袋により前記ストッパー部が反付勢方向に押圧されて傾斜している
ことを特徴とする請求項４記載の電気掃除機。
【請求項６】
前記集塵ケースに、前記第１のロック手段と前記第２のロック手段を連結して前後方向に折りたたみ可能な持ち手を設けた
ことを特徴とする請求項１〜５のいずれか一項に記載の電気掃除機。
【請求項７】
前記持ち手に突設部を設け、前記ストッパー部が立設しているときは、前記突設部が前記ストッパー部に当接して前記持ち手の折りたたみが阻止される
ことを特徴とする請求項６記載の電気掃除機。
【請求項８】
前記持ち手にロック部を設け、前記持ち手が折りたたまれたときに、前記ロック部が前記集塵袋保持体をロックする
ことを特徴とする請求項６又は７に記載の電気掃除機。
【発明の詳細な説明】
【技術分野】
【０００１】
本発明は、集塵ケースを備えた電気掃除機に係り、さらに詳しくは、集塵ケース内の集塵袋を交換する際に、１のボタン操作によって、集塵ケースの開閉蓋を開く操作と集塵袋の固定を解除する操作のタイミングをずらして行うことができる集塵ケースを備えた電気掃除機に関するものである。
【背景技術】
【０００２】
掃除機本体の内部に電動送風機及び集塵室を有し、集塵室の内部に集塵袋を装着するための集塵ケースが着脱自在に設けられ、集塵ケースの側面部または後面部に集塵袋を取り出すための取り出し口が形成された電気掃除機がある（例えば、特許文献１参照）。
【０００３】
【特許文献１】特開２０００−７０１９４号公報（第２頁−第３頁、図２）
【発明の開示】
【発明が解決しようとする課題】
【０００４】
特許文献１記載の電気掃除機によれば、集塵ケースの周囲に当初より取り出し口が形成されているため集塵袋の保持が十分ではなく、集塵ケースを掃除機本体より取り外して集塵袋を廃棄するまでに、集塵袋の保持が解除されて床に落下してしまうおそれがあった。
【０００５】
そのため、集塵袋を廃棄するまでは集塵袋は周囲を囲まれたバスケットであることが好ましく、集塵袋を廃棄するときに取り出し口の開閉蓋を開き、集塵袋の固定を解除する操作を行うことが好ましいが、この場合は、集塵袋を捨てる際に、集塵ケースの蓋を開く操作と集塵袋の固定を解除する操作の２つの操作が必要である。
この場合、各々の操作用ボタンを２つ設けて、第１のボタンで集塵ケースの蓋を開き、その後、別に設けた第２のボタンで集塵袋の固定を解除することもできる。しかしながら、各々の操作用ボタンを２つ設けると２度の操作が行われることになり、手間がかかる。
また、２つの操作を１つのボタンで行い、開閉蓋を開く操作と集塵袋の固定を解除する操作を同時に行うこともできる。しかしながら、２つの操作を１つのボタンで行うと、両操作が同時に行われることになるため、ボタンを押した際に、集塵袋を床に落下させ、床を汚してしまうおそれがある。
【０００６】
また、集塵ケースを集塵室に配置する際に、スペース効率が悪い場合もある。さらに、集塵ケース内に集塵袋が装着されていない場合であっても、そのまま運転が行われてしまうおそれもある。また、運転中に集塵袋が外れてしまう場合もある。
【０００７】
本発明は上記の課題を解決するためになされたもので、開閉扉を開く操作と集塵袋の固定を解除する操作を行う際に、１つのボタン操作によって操作時の手間を省くようにすると共に、１つのボタンによる操作であっても、両操作が同時に行われることにより誤って集塵袋を床に落下させて床を汚してしまうことがない電気掃除機を提供することを目的とする。
また、集塵ケースの集塵室への配置においてスペース効率が良く、集塵ケース内に集塵袋が装着されていない場合は運転が行われず、運転中に集塵袋が外れてしまうことのない電気掃除機を提供することを目的とする。
【課題を解決するための手段】
【０００８】
本発明に係る電気掃除機は、開閉扉を有し内部に集塵袋が取り付けられる集塵部と、この集塵部に設けた集塵袋固定手段とからなる集塵ケースを備え、集塵袋固定手段は、集塵ケースの開閉扉を開く操作と、集塵袋の固定を解除する操作とを、タイミングをずらせた一連の動作によって連続して行う１のボタン機構を備え、ボタン機構が、開閉扉を開閉する第１のロック手段と、集塵袋を着脱する第２のロック手段と、これら第１、第２のロック手段を連動させる連動手段とを備え、第１のロック手段により開閉扉の固定を解除したのち、第１のロック手段を連動手段を介して第２のロック手段と連動させ、集塵袋の固定を解除し、連動手段が、第１、第２のロック手段を連結する連結部からなるものである。
【発明の効果】
【０００９】
本発明に係る電気掃除機は、１のボタン機構によって、集塵ケースの開閉扉を開く操作と集塵袋の固定を解除する操作とを、タイミングをずらせた一連の動作によって連続して行うようにしたので、集塵袋を捨てる際に操作時の手間を省くことができ、しかも誤って集塵袋を落下させて床などを汚してしまうことがない。
【発明を実施するための最良の形態】
【００１０】
図１は本発明の一実施の形態に係る電気掃除機の全体構成図、図２は図１の電気掃除機の掃除機本体の縦断面図、図３は図１の電気掃除機の掃除機本体を分解した状態を示す斜視図、図４は図３の集塵ケースを後ろ側から見た斜視図、図５は図４の縦断面図である。
図１に示すように、電気掃除機は、掃除機本体１と、これに接続するホース１００、握り部１０１、延長管１０２及び床ブラシ１０３等よりなるホースユニットとからなる。ホース１００の一端にはホース接続部１００ａが設けられ、掃除機本体１のホース差込み口２に着脱自在に接続され、ホース１００の他端には操作部を有する握り部１０１が設けられている。また、握り部１０１の他端には着脱自在に延長管１０２が接続され、延長管１０１の先端部には床ブラシ（又は吸込みノズル）１０３が着脱自在に接続されている。
【００１１】
図２〜図５に示すように、掃除機本体１の本体ケース３の上部開口部４には上蓋５が開閉自在に設けられており、本体ケース３の前部側（図の左側、以下同様）には集塵室６が形成され、その後部側（図の右側、以下同様）にはフィルタ７を介して電動送風機８が設けられている。
本体ケース３上面の上蓋５の後部にはハンドル９が設けられており、また本体ケース３の後部からはコード９ａが引き出せるようになっている。本体ケース３の後部両側には後輪１０が設けられており、本体ケース３の底部の前部側には、前輪１１が設けられている。
【００１２】
集塵室６内には、これとほぼ同じ外形に形成された箱状の集塵ケース２０が挿脱自在にセットされている。
集塵ケース２０の前面板２１ａには掃除機本体１のホース差込み口２に連通する塵埃吸込み口２２が開口され、また、後部には後開口部２３が設けられて開閉扉２４が下部を支点２５として開閉自在に取り付けられている。
集塵ケース２０の上面板２１ｂには起伏可能で前後に折りたたむことができる持ち手２６が設けられており、掃除機本体１の上蓋５が閉じているときは折りたたまれ、上蓋５が開かれているときはバネ作用によって立ち上がっている。この持ち手２６は、前側が下方に屈曲したほぼＪ字状の中央持ち手部２６ａと、その前後にそれぞれ回動自在に取り付けられた前持ち手部２６ｂ及び後持ち手部２６ｃとによって構成されている。前持ち手部２６ｂ及び後持ち手部２６ｃの他端は、集塵ケース２０の上面板２１ｂに設けられた前支持部２７と後支持部２８に回動自在に取り付けられており、後支持部２８はバネ（図示せず）によって後持ち手部２６ｃを後方に付勢して、持ち手２６を立設状態に保持する。
なお、中央持ち手部２６ａの前側の折曲部にはその幅の一部を狭めた形で突設部２６０ａ（図５）が垂下されており、集塵ケース２０内に集塵袋（後述）が取り付けられていないときはハンドルの折りたたみを制御する。また、前持ち手部２６ｂにはロック部２６０ｂが設けられており、折りたたみ時に集塵袋保持体の保持部（後述）をロックして、運転中に集塵袋（後述）が外れることのないようにしてある。
【００１３】
集塵ケース２０の集塵部には、吸引された塵埃を捕集する集塵袋３０が着脱可能に収納されている。集塵袋３０の前面側には例えば厚紙からなる支持板３１が設けられ、支持板３１には集塵ケース２０の塵埃吸込み口２２に連通する連通孔３２が設けられている。
【００１４】
図４、図５に示すように、集塵ケース２０の上面板２１ｂの後開口部２３近傍には第１のロック手段Ｂが設けられ、上面板２１ｂの前面側には第２のロック手段Ｃが設けられており、第１、第２のロック手段Ｂ、Ｃの間にはタイミングをずらして第２のロック手段Ｃを駆動させる連結部Ｄが設けられて、これらによって１つのボタン機構Ａが構成されている。
連結部Ｄは第１の連結部４０と第２の連結部４１によって構成され、第２の連結部４１は上面板２１ｂに設けられた凹部２９に沿って前後に摺動する。また、第１の連結部４０は一端が後支持部２８に回動自在に取り付けられてバネ（図示せず）により後方に付勢されており、他端は第２の連結部４１の後端部に回動可能に取り付けられている。このため、第２の連結部４１は後方に付勢されているが、前端に設けた停止部４１ａが凹部２９の前端部に当接して後方への移動を阻止する。第２の連結部４１の前側への移動停止は、第１の連結部４０に設けた停止部４０ａが後支持部２８に当接して行われる。
【００１５】
第１のロック手段Ｂには、断面ほぼ逆Ｌ字状で水平部５０ａと垂直部５０ｂからなる押しボタン５０が設けられており、水平部５０ａの一端は後支持部２８に回動可能に取付けられ、垂直部５０ｂはバネ（図示せず）によって後方（したがって反時計方向）に付勢されている。
押しボタン５０の垂直部５０ｂには、開閉扉２４の係止爪２４ａが係止する係止孔５０ｃが設けられており、押しボタン５０を下方に押圧したときに開閉扉２４の係止爪２４ａとの係合が解除されるようになっている。垂直部５０ｂの下端には、第１の連結部４０に当接する当接部５０ｄが設けられており、押しボタン５０をさらに押したときに、当接部５０ｄが第１の連結部４０の後壁面に当接してこれを前側に押すようにしてある。そして、第１の連結部４０は押しボタン５０による押圧時に時計回りに回動し、第２の連結部４１を前側に摺動させる。
【００１６】
第２のロック手段Ｃは、前支持部２７に回動自在に取り付けられバネ（図示せず）によって時計方向に付勢された集塵袋保持体６０と、集塵袋保持体６０に回動自在に取付けられたバネ（図示せず）によって時計方向に付勢されたストッパ体６１とを備えている。そして、集塵袋保持体６０は前面側に断面ほぼＶ字状に形成された凹部を有し、この凹部にストッパー体６１の底部が当接するようになっている。また、集塵袋保持体６０は、上方に立設して第２の連結部４１の前端部と当接する袋保持部６０ａを有すると共に、下面に集塵袋３０の支持板３１の上端部が係止する係止孔６０ｂを有している。さらに、ストッパー体６１は、集塵袋３０が取り付けられていないときは立設してしており、集塵袋３０が取り付けられたときに支持板３１によって押圧されて前側に傾斜するストッパー部６１ａを有している。
なお、集塵ケース２０の下面板２１ｃには、集塵袋３１の支持板３２の下端部を係止する支持板溝２１ｄが設けられ、その後部には凸部２１ｅが設けられている。
【００１７】
上記のように構成した本実施の形態の作用について説明する。
まず、図３に示す集塵ケース２０内に集塵袋３０を収納し、掃除機本体１の上蓋５を開放して、集塵室６内に集塵ケース２０を装着し、上蓋５を閉じてロックし、掃除機本体１のホース差込み口２にホース１００の接続部１００ａを接続する。
ついで、掃除機本体１に設けたコード９ａを引き出して電源に接続し、ホースユニットの握り部１０１の電源スイッチをＯＮして電動送風機を駆動し、図１に示すように、ホースユニットの先端部に設けた床ブラシ（又は、吸込みノズル）１０３を床面などに当接して移動させる。これにより、床面などの塵埃等が空気と共に吸引され、ホースユニットを経て集塵袋３０内に送られて塵埃が捕集され、これから分離した清浄な空気は電動送風機８等を冷却したのち、本体ケース２の背面に設けた排気口から排出される。
【００１８】
捕集した塵埃等によって集塵袋３０が満杯になって交換する必要が生じた場合は、使用者はロックを解除して上蓋５を開放する。こうすると、図４に示すように、集塵ケース２０の持ち手２６がバネ作用によって立ち上がる。この状態で、持ち手２６を持って、集塵ケース２０を集塵室４から引き上げる。集塵ケース２０をゴミ箱等まで運び、後部開口部２３をゴミ箱等の上に向け、押しボタン５０を押すと、まず開閉扉２４が開き、引き続きタイミングをずらした状態で集塵袋３０の固定が解除され、集塵袋３０は自重によりゴミ箱等の中に落下する。
古い集塵袋３０を捨てたのち、新しい集塵袋３０を集塵ケース２０内に収納し、再び集塵ケース２０を集塵室６内にセットする。
【００１９】
次に、ボタン機構Ａと持ち手２６からなる集塵袋固定手段の作用を詳述する。
まず、集塵袋３０を取り外す場合について図６〜図１０を用いて説明する。
図６に示すように、立ち上り状態にある持ち手２６の中央持ち手部２６ａを把持して、集塵ケース２０をゴミ箱等まで運ぶ。そして、集塵ケース２０のボタン機構Ａを解除する。
この際、まず、図７に示すように、押しボタン５０をイ方向に少し押すと押しボタン５０が下降し、押しボタン５０の係止孔５０ｃに係止していた開閉扉２４の爪２４ａが外れる。
【００２０】
集塵ケース２０の後開口部２３を下方向に向けてさらに押しボタン５０を押し続けると、図８に示すように、開閉扉２４は軸２５の周りをロ方向（時計方向）に回動して開き、後部開口部２３が開口する。さらに、図９に示すように、押しボタン５０の垂直部５０ｂの当接部５０ｄが第１の連結部４０の後壁面を押し、第１の連結部４０は後支持部２８を軸としてハ方向（時計方向）に回動し、第２の連結部４１を押す。第２の連結部４１は上面板２１ｂの凹部２９に沿って二方向（前方向）に摺動し、先端部が集塵袋保持体６０の袋保持部６０ａをホ方向（前方向）に押圧する。このため、集塵袋保持体６０、さらにストッパー体６１が、付勢力に抗してへ方向（反時計方向）に回動する。
このため、集塵袋３０の支持板３１の上端部と係止する係止孔６０ｂによる係止が解除され、図１０に示すように、支持板３１が外れて集塵袋３０はト方向（時計方向）に回動して落下する。
【００２１】
次に、集塵袋３０を集塵ケース２０に取り付けて掃除機本体１に収納する場合について図１１〜図１７を用いて説明する。
図１１は、集塵ケース２０に集塵袋３０を装着していない状態を示している。このとき、ストッパー部６１ａと袋保持部６０ａは時計方向に付勢された状態にあり、ストッパー部６１ａは直立した状態にある。
図１２に示すように、新たな集塵袋３０を集塵ケース２０に装着すると、ストッパー部６１ａの下端部は集塵袋３０の支持板３１の上端部によって上方向に押圧され、直立状態からト方向（反時計方向）に回動し、上端部が前傾して上面板２１ｂより突出した状態となる。このとき、支持板３１の下端部は集塵ケース２０の下面板２１ｃの支持板溝２１ｄに嵌合し、上端部は集塵袋保持体６０の係止孔６０ｂに係止し、その連通孔３２は集塵ケース２０の塵埃吸込み口２２と整合する。
【００２２】
ついで、集塵ケース２０を掃除機本体１の集塵室６に収納する。集塵ケース２０の上蓋５を閉めると、持ち手２６が上蓋５によって下方向に押圧される。そして、図１３に示すように、中央持ち手部２６ａがチ方向（下方前側）に移動し、中央持ち手部２６ａの突設部２６０ａが下降する。
そして、図１４に示すように、前持ち手部２６ｂのロック部２６０ｂが、集塵袋保持体６０の袋保持部６０ａをその前側よりロックする。また、ストッパー体６１のストッパー部６１ａは前側に傾斜しているので、中央持ち手部２６ａの突設部２６０ａは、下方向に降下した際、袋保持部６０ａとストッパー部６１ａの間に入り込み、持ち手２６は折りたたまれる。
【００２３】
集塵ケース２０に集塵袋３０が装着されていないと、図１５に示すように、ストッパー部６１ａは時計方向に付勢されて立設した状態にある。
集塵ケース２０を掃除機本体１の集塵室６に収納し、図１６に示すように、掃除機本体１の上蓋５を閉じようとすると、中央持ち手部２６ａが上蓋５によって押圧されてリ方向（下方前側）に移動し、突設部２６０ａが下降する。
このとき、ストッパー部６１ａは立設状態にあるので、図１７に示すように、中央持ち手部２６ａの突設部２６０ａがストッパー部６１ａの上端部と当接する。よって、持ち手２６を折りたたむことができず、本体ケース１の上蓋５を閉じることができない。
【００２４】
本発明に係る電気掃除機によれば、集塵ケース２０の開閉扉２４を開く操作と集塵袋３０の固定を解除する操作を１つのボタン５０でタイミングをずらして行うので、操作時の手間を省くことができ、しかも、集塵袋３０を捨てる際、誤って床などに落下させて汚してしまうことがない。
また、本発明に係る電気掃除機は、折りたたみ可能な持ち手２６を有する集塵ケース２０を備えたので、集塵ケース２０を集塵室６に収納する際にスペース効率がよくなり、掃除機本体１のコンパクト化が可能となる。
さらに、本発明に係る電気掃除機は、集塵ケース２０内に集塵袋３０が装着されていない場合は持ち手２６を折りたたむことができない構造にし、本体ケース３の上蓋５が閉まらないようにしたので、この場合は運転をすることができない。
また、本発明に係る電気掃除機は、本体ケース３の上蓋５が閉められて集塵ケース２０の持ち手２６が折りたたまれているときは、集塵袋３０の支持板３１がロックされているので、運転中に集塵袋３０が外れることはない。
【図面の簡単な説明】
【００２５】
【図１】本発明の一実施の形態に係る電気掃除機の全体構成図である。
【図２】図１の電気掃除機の掃除機本体の縦断面図である。
【図３】図１の電気掃除機の掃除機本体から集塵ケースを引き出した状態を示す斜視図である。
【図４】図３の集塵ケースを後ろ側から見た斜視図である。
【図５】図４の要部の縦断面図である。
【図６】集塵ケースから集塵袋を取り外す場合の作用説明図である。
【図７】図６に続く作用説明図である。
【図８】図７に続く作用説明図である。
【図９】図８に続く作用説明図である。
【図１０】図９に続く作用説明図である。
【図１１】集塵ケースに集塵袋を取り付ける場合の作用説明図である。
【図１２】図１１に続く作用説明図である。
【図１３】図１２に続く作用説明図である。
【図１４】図１３に続く作用説明図である。
【図１５】図１４に続く作用説明図である。
【図１６】図１５に続く作用説明図である。
【図１７】図１６に続く作用説明図である。
【符号の説明】
【００２６】
１  掃除機本体、５  上蓋、６  集塵室、２０  集塵ケース、２４  開閉扉、２４ａ  係止爪、２６  持ち手、３０  集塵袋、３１  支持板、５０  押しボタン、５０ａ  水平部、５０ｂ  垂直部、５０ｃ  係止孔（係止部）、５０ｄ  当接部、６０  集塵袋保持体、６１  ストッパー体、６１ａ  ストッパー部、１００  ホース、２６０ａ  突設部、２６０ｂ  ロック部、Ａ  ボタン機構、Ｂ  第１のロック手段、Ｃ  第２のロック手段、Ｄ  連結部。
【図１】
0004980169.tif 000002
【図２】
0004980169.tif 000003
【図３】
0004980169.tif 000004
【図４】
0004980169.tif 000005
【図５】
0004980169.tif 000006
【図６】
0004980169.tif 000007
【図７】
0004980169.tif 000008
【図８】
0004980169.tif 000009
【図９】
0004980169.tif 000010
【図１０】
0004980169.tif 000011
【図１１】
0004980169.tif 000012
【図１２】
0004980169.tif 000013
【図１３】
0004980169.tif 000014
【図１４】
0004980169.tif 000015
【図１５】
0004980169.tif 000016
【図１６】
0004980169.tif 000017
【図１７】
0004980169.tif 000018